(57)【要約】【課題】口腔衛生の利便性を向上させる柄付きデンタルフロス構造を提供する。【解決手段】柄付きデンタルフロス構造は、柄体２、柄体と連接するデンタルフロスフレーム３を備え、デンタルフロスフレーム両側の端棒間はデンタルフロス１により連接し、デンタルフロスフレーム３と柄体２との連接位置には第一湾曲部４を備え、デンタルフロスフレームの両側の端棒上には第二湾曲部５を備え、デンタルフロスフレームを中心基礎線とする時、第一湾曲部４と第二湾曲部５の湾曲方向は反対であるため、第一湾曲部、第二湾曲部により、柄体とデンタルフロス間の距離を拡大し、使用者は手で柄付きデンタルフロスの柄体を持ち奥の歯間の清掃を行う時、口角の影響を受けず、デンタルフロスフレーム両端内側にはブラシ体３３を設置し、ブラシ体３３周縁には清掃部３４を設置し、歯を清潔にする時、清掃部３４により歯間にたまったかすを除去する。【選択図】図３
0003179356.tif 000002
【実用新案登録請求の範囲】
【請求項１】
柄付きデンタルフロス構造は、柄体、及び該柄体一端と連接するデンタルフロスフレームからなり、
該デンタルフロスフレーム両側の端棒間は、デンタルフロスにより連接し、
該柄体と該デンタルフロスフレームとの連接位置には、第一所定方向へと湾曲する第一湾曲部を備え、これにより該デンタルフロスフレーム上のデンタルフロスと該柄体とは、同一直線上にならず、第一横方向距離を備えることを特徴とする柄付きデンタルフロス構造。
【請求項２】
前記デンタルフロスフレームの両側の端棒上には、第二所定方向へと湾曲する第二湾曲部を備え、
これにより、該デンタルフロスフレーム上のデンタルフロスと該柄体とは、同一直線上にならず、第二横方向距離を備えることを特徴とする請求項１に記載の柄付きデンタルフロス構造。
【請求項３】
前記デンタルフロスフレーム両側の端棒内側には、ブラシ体を設置し、
該ブラシ体周縁には、清掃部を設置することを特徴とする請求項１に記載の柄付きデンタルフロス構造。
【請求項４】
前記デンタルフロスフレーム両側の端棒内側には、ブラシ体を設置し、
該ブラシ体周縁には、清掃部を設置することを特徴とする請求項２に記載の柄付きデンタルフロス構造。
【請求項５】
柄付きデンタルフロス構造は、柄体、及び該柄体一端と連接するデンタルフロスフレームからなり、
該デンタルフロスフレーム両側の端棒内側には、ブラシ体を設置し、
該ブラシ体周縁には、清掃部を設置することを特徴とする柄付きデンタルフロス構造。
【請求項６】
前記柄体と該デンタルフロスフレームとの連接位置には、第一所定方向へと湾曲する第一湾曲部を備え、
これにより、該デンタルフロスフレーム上のデンタルフロスと該柄体とは、同一直線上にならず、第一横方向距離を備えることを特徴とする請求項５に記載の柄付きデンタルフロス構造。
【請求項７】
前記デンタルフロスフレームの両側の端棒上には、第二所定方向へと湾曲する第二湾曲部を備え、
これにより、該デンタルフロスフレーム上のデンタルフロスと該柄体とは、同一直線上にならず、第二横方向距離を備えることを特徴とする請求項５に記載の柄付きデンタルフロス構造。
【請求項８】
前記デンタルフロスフレームの両側の端棒上には、所定方向と反対へと湾曲する第二湾曲部を備え、
これにより、該デンタルフロスフレーム上のデンタルフロスと該柄体とは、同一直線上にならず、第二横方向距離を備えることを特徴とする請求項６に記載の柄付きデンタルフロス構造。
【請求項９】
柄付きデンタルフロス構造は、柄体、及び該柄体一端と連接するデンタルフロスフレームからなり、
該デンタルフロスフレーム両側の端棒間は、デンタルフロスにより連接し、
該柄体と該デンタルフロスフレームとの連接位置には、第一所定方向へと湾曲する第一湾曲部を備え、
これにより、該デンタルフロスフレーム上のデンタルフロスと該柄体とは、同一直線上にならず、第一横方向距離を備え、
該デンタルフロスフレームの両側の端棒上には、第二所定方向へと湾曲する第二湾曲部を備え、
これにより、該デンタルフロスフレーム上のデンタルフロスと該柄体とは、同一直線上にならず、第二横方向距離を備え、
該デンタルフロスフレーム両側の端棒内側には、ブラシ体を設置し、該ブラシ体周縁には、清掃部を設置することを特徴とする柄付きデンタルフロス構造。
【考案の詳細な説明】
【技術分野】
【０００１】
本考案は柄付きデンタルフロス構造に関し、特により使い易く、しかも口角の影響を受けず奥の歯間の清掃を行え、及び歯を清潔にする数種の機能を達成でき、歯を清潔にする各プロセスのために、口腔衛生器具を頻繁に交換する必要がなく、口腔衛生の利便性を向上させることができる柄付きデンタルフロス構造に関する。
【背景技術】
【０００２】
歯は、食物を咀嚼し、発音を助け、顔形を保持する機能を有する。
しかも、真っ白で清潔な歯は、人に爽やかな印象を与えることができ、健康な歯があれば、美食を楽しむ際に、よく噛んで味わうことができる。
【０００３】
「予防は治療に勝る」と言われるが、特に口腔疾病（虫歯、歯茎の腫れ、歯周病等）は、徹底的に歯を清潔にすることで発生率を低下させることができる。
中でも、歯間は最も汚れがたまり易い場所で、通常は、歯ブラシで磨きにくい。
そのため、食後１０分以内に歯ブラシで歯を磨く以外に、デンタルフロス、或いは歯間ブラシで歯間をきれいにし、口腔疾病の発生を低下させる必要がある。
【０００４】
市販の柄付きデンタルフロス１構造（図１参照）は、柄体１１、及び該柄体１１と連接するデンタルフロスフレーム１２からなる。
該デンタルフロスフレーム１２の両側の端棒１２１間は、デンタルフロス１２２により連接する。
使用時（図２参照）には、手で柄体１１を持ち、該デンタルフロスフレーム１２の両側の端棒１２１間に設置するデンタルフロス１２２を、歯と歯の隙間に嵌め入れて、歯間の食物のかすを除去する動作を行う。
【０００５】
しかし、従来の柄付きデンタルフロス１は、使用において、改善を要する点がある。
それは、口腔内の奥の歯（臼歯など）間の隣り合った面をきれいにする際に関する。
従来の柄付きデンタルフロス１の柄体１１とデンタルフロスフレーム１２は、同一直線上にあるため、口の奥にある歯と歯の間の清浄作業を行う時には、使用者は、口を大きく開けなければならない。
しかも、どんなに口を大きく開けても、柄付きデンタルフロスの柄体１１及び柄付きデンタルフロス１を持つ手は口角に接触してしまい、柄付きデンタルフロス１による歯間中の食物のかすを除去する操作は阻害されてしまう。
【０００６】
一方、爪楊枝、或いはデンタルフロスにより、歯間に挟まった食物のかすを除去することはできるが、歯間にたまった歯垢は、歯間ブラシでなければきれいにすることはできない。
そのため、もし歯間の清浄作業を完璧に行い、口腔衛生の効果を達成しようとすれば、少なくとも爪楊枝、或いはデンタルフロス及び歯間ブラシ等の口腔衛生器具を用いなければならない。
【０００７】
爪楊枝、デンタルフロス及び歯間ブラシ等は、使い捨ての消耗品である。
よって、この数種の口腔衛生器具を取り揃え、しかも長期間使用すれば、消費者にとっての経済的負担は小さくない。
しかも、該歯ブラシ、爪楊枝、デンタルフロス及び歯間ブラシを置くにも、かなりの空間が必要である。
普通、人は洗面所で歯を清潔にする作業を行うが、スペースが充分でない洗面所に数種の口腔衛生器具を置くのはいっそう困難である。
さらに、外出時に、該数種の口腔衛生器具を携帯する不便は言うまでもない。
しかも、一種の口腔衛生器具を使用後に、別の口腔衛生器具に交換して使用しなければならないため、この煩瑣な口腔衛生器具交換を面倒に感じる使用者は、一部の口腔衛生器具しか使用しないようになり、こうして口腔衛生の効果を低下させてしまう。
本考案は、従来の柄付きデンタルフロス構造の上記した欠点に鑑みてなされたものである。
【先行技術文献】
【特許文献】
【０００８】
【特許文献１】実用新案登録第３１３１３９１号公報
【考案の概要】
【考案が解決しようとする課題】
【０００９】
本考案が解決しようとする第一の課題は、柄付きデンタルフロスの柄体とデンタルフロスを異なる直線上に設置し、使用者が手で柄付きデンタルフロスの柄体を持ち奥の歯間の清掃を行う時、口角による阻害を回避でき、より使い易い柄付きデンタルフロス構造を提供することである。
本考案が解決しようとする第二の課題は、数種の歯を清潔にする機能を完成でき、煩雑な歯を清潔にする作業を簡単にすることができる柄付きデンタルフロス構造を提供することである。
【課題を解決するための手段】
【００１０】
上記課題を解決するため、本考案は下記の柄付きデンタルフロス構造を提供する。
柄付きデンタルフロス構造は、柄体、及び該柄体一端と連接するデンタルフロスフレームからなり、
該デンタルフロスフレーム両側の端棒間は、デンタルフロスにより連接し、
該柄体と該デンタルフロスフレームとの連接位置には、第一所定方向へと湾曲する第一湾曲部を備え、これにより該デンタルフロスフレーム上のデンタルフロスと該柄体とは同一直線上にならず、第一横方向距離を備え、
該デンタルフロスフレームの両側の端棒上には、第二所定方向へと湾曲する第二湾曲部を備え、これにより該デンタルフロスフレーム上のデンタルフロスと該柄体とは同一直線上にならず、第二横方向距離を備え、
該デンタルフロスフレーム両側の端棒内側には、ブラシ体を設置し、しかも該ブラシ体周縁には、清掃部を設置する。
【考案の効果】
【００１１】
本考案の柄付きデンタルフロス構造は、柄付きデンタルフロスの柄体とデンタルフロスを異なる直線上に設置し、使用者が手で柄付きデンタルフロスの柄体を持ち奥の歯間の清掃を行う時、口角による阻害を回避できるため非常に使い易く、また数種の歯を清潔にする機能を完成できるため、煩雑な歯を清潔にする作業を簡単にすることができる。
【図面の簡単な説明】
【００１２】
【図１】従来の柄付きデンタルフロスの立体図である。
【図２】従来の柄付きデンタルフロスの使用模式図である。
【図３】本考案の第一実施例の柄付きデンタルフロスの立体図である。
【図４】本考案の第一実施例の柄付きデンタルフロスの俯視図である。
【図５】本考案の第一実施例の柄付きデンタルフロスの使用模式図（一）である。
【図６】本考案の第一実施例の柄付きデンタルフロスの使用模式図（二）である。
【図７】本考案の第二実施例の柄付きデンタルフロスの立体図である。
【図８】本考案の第三実施例の柄付きデンタルフロスの立体図である。
【考案を実施するための形態】
【００１３】
以下に図面を参照しながら本考案を実施するための最良の形態について詳細に説明する。
【実施例】
【００１４】
図３、４に示すように、本考案の実施例の柄付きデンタルフロス１は、柄体２及びデンタルフロスフレーム３からなる。
【００１５】
該柄体２は、第一端２１及び第二端２２を備え、該柄体２の第一端２１と該デンタルフロスフレーム３とは連接し、該柄体２の第二端２２は延伸し、細く尖った楊枝状部２３を形成し、使用者は楊枝のように用いることができる。
【００１６】
該柄体２の表面には、複数の微凸体２４を別に設置し、手で該柄体２を持つ時の摩擦力を拡大する。
【００１７】
該デンタルフロスフレーム３は、両側の端棒３１を備え、両者間は、デンタルフロス３２により連接する。
【００１８】
該デンタルフロス３２両端には、ブラシ体３３を設置し、しかもブラシ体３３周縁には、ブラシである清掃部３４を設置する。
【００１９】
該柄体２と該デンタルフロスフレーム３の連接位置には、第一湾曲部４を備え、これにより該デンタルフロスフレーム３上のデンタルフロス３２と該柄体２とは、同一直線上にならず、第一横方向距離Ｈ１を備える。
【００２０】
該デンタルフロスフレーム３の両側の端棒３１上には、第二湾曲部５を備え、これにより該デンタルフロスフレーム上３のデンタルフロス３２と該柄体２とは同一直線上にならず、第二横方向距離Ｈ２を備える。
【００２１】
該第一湾曲部４は、第一所定方向Ｄ１に向かい湾曲し、該第二湾曲部５は、第二所定方向Ｄ２に向かい湾曲する。
【００２２】
該第一所定方向Ｄ１と該第二所定方向Ｄ２とは、該デンタルフロスフレーム３を中心基礎線として、反対向きを呈する。
【００２３】
図３、４に合わせ、図５に示すように、該柄付きデンタルフロス１を使用して、奥の２個の歯６の隣り合った面の歯間をきれいにしようとする時には、手で柄付きデンタルフロス１の柄体２を持つ。
【００２４】
さらに、該デンタルフロス３２を歯間に嵌めて入れ、横に、或いは上下に、柄付きデンタルフロス１を移動させ、歯間の清浄作業を行う。
【００２５】
この他、本考案の実施例の柄付きデンタルフロス１は、該柄体２と該デンタルフロスフレーム３の連接位置の第一湾曲部４と該デンタルフロスフレーム３の両側の端棒３１(図３参照)上の第二湾曲部５の湾曲方向が反対である。
【００２６】
これにより、該柄体２と該デンタルフロス３２間には、大きな横方向距離（即ち、第一横方向距離Ｈ１に第二横方向距離Ｈ２を加えた距離）を備える。
【００２７】
よって、該柄付きデンタルフロス１により、奥の歯６(図５参照)の間をきれいにする時には、口の開き具合が同程度であっても、該デンタルフロス３２と該柄体２とは、横方向にずれて設置するため、該デンタルフロス３２はより深く奥の歯間に入ることができる。
【００２８】
該デンタルフロス３２に比べ、該柄体２は、口の中央に近い位置に在るため、使用者は口をやや大きめに開けるだけで、奥の歯間をきれいにする動作をスムーズに行え、口角に阻害されない。
【００２９】
さらに、本考案の柄付きデンタルフロス１は、該柄体２と該デンタルフロスフレーム３間に、第一湾曲部４だけを設置し、或いは該デンタルフロスフレーム３の両側の端棒３１上にのみ第二湾曲部５を設置する形式とすることができる。
【００３０】
これによっても、該柄体２と該デンタルフロスフレーム３上のデンタルフロス３２は横方向に位置がずれ、奥の歯間をきれいにする動作時に、口角の阻害を受けないという目的を達成することができる。
【００３１】
図５に合わせ、図６に示すように、該柄付きデンタルフロス１を使用し、歯間の清浄を行うと同時に、該デンタルフロス３２は、歯６の歯間を出たり入ったり移動するため、該デンタルフロス３２両端に設置するブラシ体３３(図３参照)は、使用者が、両側の端棒３１を引いて動かし、歯６と接触させる時、歯６と歯の間に自然に進入する。
【００３２】
このため、該清掃部３４を利用し、歯間にたまった食物のかす及び歯垢等を除去し、プラーク及び歯石の生成を確実に防止でき、これにより歯周病等の口腔疾病の発生を予防する保健効果を達成することができる。
【００３３】
本考案は、歯間にたまった食物のかす及び歯垢等を確実に除去する目的を達成するために、該柄付きデンタルフロス１のデンタルフロス３２上にブラシ体３３を設置するだけとし、図５に示すように、第一湾曲部４或いは第二湾曲部５を一緒に使用しなければならない訳ではない。
【００３４】
よって、本考案の柄付きデンタルフロス１は、歯６と歯６の間に挟まった食物のかすを、歯間中から除去するだけでなく、歯間にたまったかす或いは歯垢を取り除き清潔にする効果を備え、爪楊枝、デンタルフロス、歯間ブラシ等多種の口腔衛生器具の使用に置換することができる。
【００３５】
よって、口腔衛生器具を購入する費用を大幅に低下させ、使用者の経済的負担を低減することができる。
【００３６】
図７に示すように、本考案の清掃部３４は、ブラシ以外に、適当な厚みを備えるコットン糸等の歯茎或いは歯を痛めない糸体とし、これによっても同様に、歯間にたまった食物のかす及び歯垢等を除去することができる。
【００３７】
図８に示すように、本考案のブラシ体３３は、両側の端棒３１内側で、かつ該デンタルフロス３２下方に、対応させて設置することができ、並びに該デンタルフロス３２と平行に設置し、これにより該デンタルフロス３２が歯と歯の間を出たり入ったり移動する時、同様に、ブラシ体３３は歯間に入り、歯間にたまっていた食物かす及び歯垢を同時に除去することができる。
【００３８】
本考案は以下の長所を備える。
１．本考案の柄付きデンタルフロスは、柄体とデンタルフロスフレーム連接位置の第一湾曲部とデンタルフロスフレームの両側の端棒上の第二湾曲部の湾曲方向とは反対で、これにより柄体とデンタルフロス間には、大きな横方向距離を備え、こうしてデンタルフロスはより深く奥の歯間に入ることができ、デンタルフロスに比べ、柄体は、口の中央に近い位置に在るため、使用者は口をやや大きめに開けるだけで、奥の歯間をきれいにする動作をスムーズに行え、口角に阻害されない。
２．本考案の柄付きデンタルフロスは、歯と歯の間に挟まった食物のかすを、歯間中から除去し、及び歯間にたまったかす、或いは歯垢を取り除き清潔にする効果を備え、多種の口腔衛生器具の使用に置換でき、よって口腔衛生器具を購入する費用を大幅に低下させ、使用者の口腔衛生器具購入の経済的負担を低減することができる。
３．本考案の柄付きデンタルフロスは、一度に数種の歯を清潔にする機能を完成できるため、頻繁に各種口腔衛生器具を交換しなければならないという面倒を回避でき、使用者は煩瑣な歯を清潔にする作業を進んで行うようになり、国民全体の口腔衛生を向上させる効果を達成することができる。
【００３９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４１】
１  柄付きデンタルフロス
１１  柄体
１２  デンタルフロスフレーム
１２１  端棒
１２２  デンタルフロス
２  柄体
２１  第一端
２２  第二端
２３  楊枝状部
２４  微凸体
３  デンタルフロスフレーム
３１  端棒
３２  デンタルフロス
３３  ブラシ体
３４  清掃部
４  第一湾曲部
５  第二湾曲部
６  歯
Ｈ１  第一横方向距離
Ｈ２  第二横方向距離
Ｄ１  第一所定方向
Ｄ２  第二所定方向
【図１】
0003179356.tif 000003
【図２】
0003179356.tif 000004
【図３】
0003179356.tif 000005
【図４】
0003179356.tif 000006
【図５】
0003179356.tif 000007
【図６】
0003179356.tif 000008
【図７】
0003179356.tif 000009
【図８】
0003179356.tif 000010